【事件の表示】
　特許第３２１２５９２号「写真自販機」の請求項１ないし２０に係る特許に対する特許異議の申立てについて、次のとおり決定する。
【結　論】
　訂正を認める。
　特許第３２１２５９２号の請求項１ないし１５に係る特許を維持する。
【理　由】
（１）手続きの経緯
　本件特許第３２１２５９２号の請求項１〜２０に係る発明は、平成１２年１０月１８日に出願され、平成１３年７月１９日にその発明の特許権の設定登録がなされ、その後、安藤　和義より特許異議の申立てがなされ、取消理由通知がなされ、その指定期間内である平成１４年８月９日に訂正請求がなされたものである。
（２）訂正の適否についての判断
（ｉ）特許請求の範囲の訂正
ア.訂正前の請求項１を「【請求項１】使用者を含む被写体を撮影してその写真を販売する写真自販機であって、被写体を撮像する撮像手段と、上記撮像手段で撮像された撮像映像をリアルタイムに表示するディスプレイと、使用者の操作により上記ディスプレイにリアルタイムに表示される撮像映像と合成される手書き画像・スタンプ画像であるペン入力画像を上記ディスプレイに対して入力するペン入力画像入力手段と、上記ペン入力画像を記憶するペン入力画像記憶部と、リアルタイムに表示される撮像映像とペン入力画像記憶部に記憶されたペン入力画像を合成してその合成画像をリアルタイムで上記ディスプレイに表示する画像合成手段と、上記ペン入力画像の入力後に合成画像を固定して記憶する固定画像記憶部とを備え、固定画像記憶部に複数の固定画像を記憶するようになっており、複数の固定画像を記憶する際、前回入力されたペン入力画像を記憶しており、２回目以降はペン入力画像を追加入力するようになっていることを特徴とする写真自販機。」と訂正する。
イ.訂正前の請求項２を「【請求項２】使用者を含む被写体を撮影してその写真を販売する写真自販機であって、被写体を撮像する撮像手段と、上記撮像手段で撮像された撮像映像をリアルタイムに表示するディスプレイと、使用者の操作により上記ディスプレイにリアルタイムに表示される撮像映像と合成される手書き画像・スタンプ画像であるペン入力画像を上記ディスプレイに対して入力するペン入力画像入力手段と、上記ペン入力画像を記憶するペン入力画像記憶部と、リアルタイムに表示される撮像映像とペン入力画像記憶部に記憶されたペン入力画像を合成してその合成画像をリアルタイムで上記ディスプレイに表示する画像合成手段と、上記ペン入力画像の入力後に合成画像を固定して記憶する固定画像記憶部とを備え、固定画像記憶部に複数の固定画像を記憶するようになっており、複数の固定画像を記憶する際、前回入力されたペン入力画像を消去して新たなペン入力画像を入力するようになっていることを特徴とする写真自販機。」と訂正する。
ウ.訂正前の請求項３、８、９、１９、２０を削除し、訂正前の請求項４〜７、１０〜１８を繰り上げて請求項３〜１５とし、夫々引用する請求項を対応するものに訂正する。
（ｉｉ）訂正の目的の適否及び拡張・変更の存否等
　上記訂正（ｉ）は、特許請求の範囲の減縮ないし明りょうでない記載の釈明を目的とするものであり、特許請求の範囲を拡張または変更するものでなく、願書に添付した明細書又は図面に記載された事項の範囲内のものである。
（ｉｉｉ）むすび
　以上のとおりであるから、上記訂正請求は、特許法第１２０条の４第２及び第３項において準用する特許法第１２６条第２から４項までの規定に適合するので、当該訂正を認める。
（３）特許異議の申立てについての判断
ア.申立ての理由の概要
　申立人安藤　和義は、証拠として甲第１号証（特開２０００−６９４０４号公報）、甲第２号証（特許第３０９３２８６号公報）、甲第３号証（特開平１０−１２６７２６号公報）、甲第４号証（特開平１０−２７４８０５号公報）、甲第５号証（特開２０００−２２４４１０号公報）、甲第６号証（特表平７−５０３５８５号公報）を提出して、訂正前の請求項１〜２０に係る発明は、特許法第２９条第２項の規定に違反してなされたものであるから、特許を取り消すべき旨主張している。
イ.判断
［引用刊行物に記載された発明］
訂正前明細書の請求項１〜２０に対して、当審が通知した取消理由で引用した刊行物１（特開２０００−６９４０４号公報）には、「本発明は、利用者の撮影画像をシール台紙などのプリント台紙に印刷して出力する画像プリント作成装置に関し、特に撮影した利用者の写真画像上に好みの化粧を施してプリントすることができる画像プリント作成装置に関する。」（第２欄第１６〜２０行）、「操作パネル６の中央には液晶ディスプレイを利用したモニタ１０が設けられ、その左右両側にタッチペン１１が設けられる。利用者画像の撮影が終了すると、撮影された画像がモニタ１０上に表示され、利用者はタッチペン１１を利用して撮影画像上に化粧処理を施すことができる。」（第５欄第２７〜３２行）、「撮影部５１は、画像プリント作成装置１の筐体２の前面に配置されたＣＣＤカメラ８を含み、利用者の画像を撮影する。」（第６欄第２〜４行）、「第１の領域には常にＣＣＤ８の入力画像が記憶され、利用者の画像撮影後はその撮影画像（利用者が背景フレーム画像を選択した場合には、撮影画像＋背景フレーム画像）が記憶される。一方、第２の領域はお絵かきや化粧などの編集処理において使用される記憶領域であり、利用者の撮影が終了した時点では第１の領域と同一の撮影画像が記憶される。そして、編集処理において利用者がタッチペン１１を操作してお絵かきや化粧の入力を行うと、その入力データが第２の領域内に書き込まれる。」（第７欄第４〜１３行）、「撮影前の画像（ＣＣＤカメラ８への入力画像）がモニタ１０に表示される。利用者はこの表示画像を見ながらズーム倍率を指定し、自己の画像を所望の大きさに拡大することができる。従って、利用者は顔の部分を所望の大きさに拡大して画像を撮影することができる。」（第８欄第３〜８行）、「化粧モードは撮影画像上に化粧を行うモードであり、お絵かきモードは撮影画像上に任意の文字、図形などを描くことができるモードである。」（第８欄第２２〜２５行）、「スタンプとは、予め用意された図案、マークなどを撮影画像上に貼り付ける機能であり、スタンプボックス４７中に表示されたスタンプをタッチペン１１を使用してドラッグ及びドロップすることにより、撮影画像上の任意の箇所に希望のスタンプを貼り付けることができる。スタンプされたマークなどのデータは、化粧やお絵かきの入力と同様にフレームバッファの第２の領域内に書き込まれ、モニタ１０上に表示される。」（第１０欄第４〜１１行）、「そして、撮影画像に対する編集処理に移行する。
【００６１】編集処理においては、まず、利用者はカラーフィルタ処理を適用するか否かを決定する（ステップＳ６）。カラーフィルタ処理とは、撮影した利用者画像全体の色相などを変化させる処理である。具体的には撮影画像全体をモノクロ画像としたり、セピア色若しくは赤、青色の色相へ変化させる処理であり、撮影画像の各色データ（例えば、Ｒ、Ｇ、Ｂ）をフィルタ処理する色に応じて一律に色変換することにより行う。カラーフィルタ処理が選択されると、撮影画像に対して上記のようなカラーフィルタ処理を行う（ステップＳ７）。一方、カラーフィルタ処理を使用しない場合には、処理は直接次のステップに進む。」（第１２欄第２７〜４０行）、及び「その代わりに、撮影画像をある記憶領域に記憶すると共に、編集処理の入力画像のみを一つのレイヤーとして他の記憶領域に書き込んで編集処理を行い、編集処理の画像が確定した時点で撮影画像と合成してプリント画像を得るように構成することもできる。」（第１４欄第３６〜４０行）との記載があり、結局、使用者を含む被写体を撮影してその写真を販売する画像プリント作成装置１であって、被写体を撮像するＣＣＤカメラ８と、上記ＣＣＤカメラ８で撮像された撮像映像をリアルタイムに表示するモニタ１０と、使用者の操作により上記モニタ１０に表示される撮影が終了した画像上に化粧処理を施すタッチペン１１と、撮影が終了した画像とお絵かきや化粧の入力データが第２の領域に書き込まれ、記憶されたその合成画像を上記モニタ１０に表示する画像合成手段と、お絵かきや化粧の入力データを第２の領域に書き込み固定して記憶する固定画像記憶部とを備えたものが開示されている。
　同じく引用した刊行物２（特許第３０９３２８６号公報）には、「本発明がタイマーシャッタに限定されるものではなく、前記操作部Ｂを操作してシャッタを切る構成としても良いが、」（第１３欄第２９〜３１行）、「第１回目の撮影映像が終了すると第２回目の撮影画面１０に移る。この第２回目の撮影画面１０には、前記前景と第１回目の撮影で固定された映像とが合成されて前記表示画面Ｇ１に表示される一方、この同一表示画面Ｇ１上の合成映像にカメラＪで撮される映像が、撮影された人物の像だけが切り取られてリアルタイムで合成される。このように先に固定された映像を表示画面Ｇ１上に表示し、表示画面Ｇ１上でこれから固定しようとする背景を切り取った人物画像をリアルタイムで合成表示することにより、前述したと同様に使用者はカメラＪに対し自ら動いてどの位置に第１回目の撮影映像を固定するかを決定することができる。」（第１３欄第４５行〜第１４欄第６行）、「この表示画面Ｇ１の映像を見ながら、前景及び背景に対し被撮影者が自ら動いて最も気に入る合成位置を決め、音声等により知らされるシャッタタイミングに合わせてポーズを取り撮影を行う。」（１５欄第６〜１０行）、「したがって、合成回路４では、背景の上に人物映像を優先した重ね書きをし、更にその上からフレームの重ね書きを行った電子情報を第２のメモリＰ２に書き込む。書き込んでから後の流れは、前述した規定図柄モードを選択した場合と同様である。」（第２６欄第４６〜５０行）、及び「この発明におけるプリンタヘッドＰとは、第１乃至第３のメモリから前記分割手段Ｐ５又は印刷サイズ変更手段１４を介して電子情報を受け取り、アイロンプリントシール原紙３０に前記電子情報を印刷（再現）できるものであれば、サーマルヘッドであろうとインクジェットであろうと何でも採用することができる。」（第２８欄第４２〜４７行）との記載がある。
　同じく引用した刊行物３（特開平１０−１２６７２６号公報）には、「利用者は図４（ａ）に示すように、バックボード部１９に、例えば吹き出しを書き、その中に「たんじょうびおめでとう！！」と書き込み、さらに自分の名前「ｂｙ　リョウタ」を書き入れる。上記バックボード部１９の書き込み位置は、自らがポーズをとってカメラに向かって立つ位置を考慮して陰にならない位置を選択する。コイン投入口６にコインが投入されると、コイン投入検出部１２から検出信号が出力され、ＣＰＵ１３はディスプレイ２に操作手順を示すインフォメーション表示を行った後、画像表示指示部１３ａによりＣＣＤカメラ４で取り込まれた利用者の映像を、バックボード部１９に書いたメッセージとともにディスプレイ２に表示させる。
【００１２】利用者が図４（ｂ）に示すように気に入るポーズをとって操作部５の撮影スイッチを押すと、ＣＰＵ１３は取り込んだ画像をＲＡＭ１６に記憶させる。」（第３欄第１８〜３３行）との記載がある。
　同じく引用した刊行物４（特開平１０−２７４８０５号公報）には、「つまり、カメラ１３により撮像した被写体像と、フレーム画像データと、入力された文字データをもとに、シールプリント用の映像が作成され、また、同様の映像をもとにホームページ用の映像が作成され、これらの作成されたシール用の映像やホームページをプリンタ１７によりシールにプリントして出力する。作成されたホームページデータは、モデム１９及び電話回線を介してネットワーク１１に送信される。」（第５欄第２７〜３４行）との記載がある。
　同じく引用した刊行物５（特開２０００−２２４４１０号公報）には、「新しい背景パターンやキャラクタを機器管理サーバから送信し、Ｉ／Ｏ制御部３を介してデータ記憶部４に記憶する。データ記憶部４ではパターンメモリ７に書き込まれたデータの日付と照合し、データ記憶部４に記憶されたデータが新しいものであれば、パターンメモリ７内のデータを書き換える。」（第６欄第３〜８行）、「決定された色調とユーザによって最初の操作で選択された背景の画像の彩度と明度を比較する（ステップ１２０４）。比較された彩度を算出し、被写体の画像の彩度を背景の彩度と明度の値に補正する（ステップ１２０５）。補正が終了したら、被写体と背景を合成する。」（第１０欄下から４行〜第１１欄第２行）、及び「次に現在、撮影をしようとしているユーザをＣＣＤカメラ１７によって表示装置画面に表示する（ステップ２６０１）。ここでは、図２５のステップ２５０４でユーザによって選択された背景がすでに画面上に表示されており、ここでユーザは画面に表示された背景にあわせて、自分の立ち位置などを調整する。撮影は自動で３回撮影することになり、ユーザは撮影された結果でもっとも好むものを選択する（ステップ２６０３）。次に、選択した画面に対して、ユーザによって色の変更や落書きモード（レタッチ機能選択画面）に移行する（ステップ２６０４、２６０５）。ユーザの意図に応じて画面に対して何も修正しないで次の入力画面に移行してもよい。色の変更はカラー、セピア、白黒等ユーザの好みによって選択できる。また、落書きモードでは単に落書きするだけではなく、文字なども入力することもできる。」（第１５欄第４９行〜第１６欄第１３行）との記載がある。
　同じく引用した刊行物６（特表平７−５０３５８５号公報）には、「第１の例として、ビデオカメラは装置の前に立つユーザを向くようにする必要がある。この目的のために、スクリーン１１８のフレームにユーザのリアルタイム画像が正しく現れるまで、ハウジング１１０を適切な方向に向けるように、ジョイスティック１１２を動かす。スクリーン１２８には、そこに現れるメッセージのリストからメッセージを選択するようにユーザへの指示が出る。視覚的な説明に加え音声による確認の説明も、スピーカ（ここには示されていない）を使うことによってユーザに与えられる。ユーザにメッセージの選択手段を提供するため、スクリーン１２８がタッチスクリーンであってもよいし、ハウジング１１０の下部にボタンが提供されていても良い。いったんメッセージが最初に選択されると、スクリーンによりユーザに選択を確認する。他の実施例においては、キーボードが提供され、ユーザは個人的なメッセージを入力することができる。いったんメッセージが確認されると、メモリに格納されているあらかじめ選択された画像で、合成写真として、または連続に現れる画像のうちの１つをユーザに選択させる、別の説明がスクリーン１２８に現れる。選択された画像はまた、ユーザの画像とともにスクリーン１１８にリアルタイムで表示される。ユーザは、スクリーンや音声で与えられた説明に従い、画像の選択を確認しなくてはならない。次にユーザがポーズをとり、次第に消えていく光や警告灯の光により示された与えられた時間内に、メッセージの合成写真やあらかじめ選択格納されユーザにより選択された画像をユーザのコマ止めされた画像とともにとらえた写真が、下部のスクリーンに現れる。次に、合成写真が受け入れられるものであるか、またはもう一度ポーズをとった画像が必要かどうかを尋ねるメッセージが、下部のスクリーンに表れる。合成写真が受け入れられるものであり、ユーザがスクリーンを適切な方法でタッチしたり、正しい確認ボタンを押すことによりユーザが受け入れの確認を指示すると、合成写真のプリントが作成される。」（第６頁右上欄第１９行〜左下欄末行）及び「図７には図６の装置と類似した装置が示されている。本実施例においては、さらなるケーシング１５０がキャビネット１０４の頂点に取り付けられており、コンピュータとインタフェースでつながれ、所望の映像を写すことのできる第３ビデオモニタ１５２と合体している。例えば、装置が使用されていないときに、広告目的で格納された画像を続けて連続に表示するすることができる。装置が使用されているとき、第３モニタは、興味を助長するため見物人の注目を集める目的で、モニタ１１８に現れるものとまったく同じ絵を表示してもよい。もしくは、コンピュータの能力の範囲で任意の所望の映像をスクリーンに写してもよい。」（第６頁右下欄第１０〜２０行）との記載がある。
　異議申立人が提示した参考資料１（特開２０００−２３０８６号公報）には、「色補正および傷修正の処理は修正手段２６を用いて行われる。」（第５欄第３０〜３１行）、「確定モニタ５に表示される画像は画像メモリ２７に格納される。確定モニタ５は画面が複数の領域に分割（たとえば、４分割）されており、セレクタスイッチ２２により採用を指示した画像が各領域に割り当てられて表示される。
【００２３】上述のような手順で、選択モニタ３に表示された複数の画像から確定モニタ５に表示する画像を選択する。ここで、確定モニタ５に表示する画像は選択モニタ３の１画面から複数コマを選択することが可能であり、セレクタスイッチ２２により次画面の指示を行なうまでは選択モニタ３の画面は変化しない。」（第６欄第８〜１８行）、及び「上述のようにして確定モニタ５に所望の画像が表示された状態で、出力指示手段２８による印刷の指示を行なうと、画像メモリ２７に格納されて確定モニタ５の各領域に表示されている画像が画像メモリ２７から読み出されて、印刷手段としてのプリンタ６により順次印刷される。」（第６欄第４７行〜第７欄第２行）との記載がある。
　同じく提示した参考資料２（特開平１０−２７６３９７号公報）には、「なお、ファイル名の“０１”は、一枚目の圧縮撮影画像データを表示する。」（第５欄第１０〜１１行）及び「メモリエリアの撮影画像データはメモリ制御回路３０によって読み出され、データセレクタ回路３２を介して、ＣＰＵ２６によってＶＲＡＭ３４に再度展開される。その後この撮影画像データは、Ｄ／Ａ変換器３６でアナログ信号に変換され、ＬＣＤ３８から出力される。また、ディジタルスチルカメラ１０は、スタイラスペン４０を含み、オペレータはスタイラスペン４０を用いてＬＣＤ３８に表示されている撮影画像に手書き画像（コメント）を添えることができる。ファイル名が“ｉｍａｇｅ０１.ｊｐｇ”の撮影画像が表示されているときに、スタイラスペン４０でＬＣＤ３８の画面がなぞられると、なぞった部分に電圧信号が発生し、その電圧信号がデータ変換回路４２によってＸ−Ｙ座標データに変換される。つまり、ＬＣＤ３８の垂直方向中央および水平方向中央のそれぞれにＸ軸およびＹ軸が引かれており、データ変換回路４２はスタイラスペン４０によってなぞられた部分のＸ−Ｙ座標データを出力する。ＣＰＵ２６はこのＸ−Ｙ座標データを受け、ＤＲＡＭ４４に形成されたメモリエリアのＸ−Ｙ座標データに対応するアドレスに所定の色データをコメントデータとして書き込む。」（第５欄第２３〜４２行）との記載がある。 
　同じく提示した参考資料３（特開２０００−２８４３５６号公報）には、「これから顧客の顔を６枚連続で撮影する旨の指示がなされるので、顧客は、画面表示にしたがい、画面のガイド枠の中心に被写体の中心がくるようにして、撮影姿勢を取る。準備ができると、決定ボタンを押す。本実施形態においては、撮影される被写体の部分は、首より上部の顔を中心とする部分とされている。
【００５０】決定ボタンが押されると、被写体の写真が撮影される。１枚の写真の撮影の度に画面に数字が表示され（図示されず）、その数字がカウントダウンされていく（３→２→１）。このカウントダウンが終了すると、当該１枚の写真の撮影が終了する。これが６回連続して行なわれ、撮影された写真は、図７に図示されるように、順次画面上に表示されていく。
【００５１】６枚全ての写真の撮影が終了すると、図８に図示される画面表示になり、６枚全ての写真が表示されるとともに、これらの写真の中から、どの写真を使うかを問うメッセージが表示されるので、以後の人物撮像修正に使用したい写真を１枚選択ボタンにより選択する。そうすると、その写真を囲む枠が黄色に反転するので、その写真でよければ、決定ボタンを押して決定する。」（第１０欄第１１〜３１行）との記載がある。
　同じく提示した参考資料４（特開平９−１４７０９５号公報）には、「しかしながら、撮影画像はメモリ３１の内部の撮影画像記録領域に、線画はメモリ３１内部の線が情報記録領域に個別の圧縮方法で記録されている。したがって２つの情報が異なる領域に記録されていることにより、使用者が線画のみを削除することも撮影画像のみを削除することも可能であり、さらに各々を個別の圧縮方法で圧縮することが可能となっている。」（第８欄第１１〜１８行）及び「また、第１の画像情報と第２の画像情報とを個別に記録することにより、第１の画像情報と第２の画像情報とを合成して表示するか否かを選択することができる。更に、個別に記録することにより、第１の画像情報、第２の画像情報のいずれか一方の画像情報が必要なくなった場合に、必要なくなった画像情報のみを消去することができる。」（第１０欄第２０〜２６行）との記載がある。
　同じく提示した参考資料５（特開２０００−２５０１２６号公報）には、「しかし、リモコン設定になっている場合には、リモートコントローラ２０からの制御信号の受信待ちとなる（ステップ４０２４）。この状態でリモートコントローラ２０から、例えば、ディジタルカメラ１３のズーム（撮影範囲）や向き（視野方向）の変更制御信号を受信したならば、その制御信号で指定された通りにズーム（撮影範囲）や向き（視野方向）を変更する（ステップ４０２５）。なお、視野方向を変更させるための機構は、ディジタルカメラ１３を指示する台座または指示部材を方位角および仰角方向で制御することによって実現されている。また、撮影範囲については、ディジタルカメラ１３に対して制御信号を入力することによって、該ディジタルカメラ１３に内蔵されているズーム機構によって変更することができる。」（第５欄第８〜２１行）との記載がある。
〔本件請求項１に係る発明〕
　本件請求項１に係る発明と、上記刊行物１に記載された発明とを、対比すると、後者の「画像プリント作成装置１」、「ＣＣＤカメラ８」、「モニタ１０」、「タッチペン１１」は、夫々前者の「写真自販機」、「撮像手段」、「ディスプレイ」、「ペン入力画像入力手段」に相当するから、両者は、使用者を含む被写体を撮影してその写真を販売する写真自販機であって、被写体を撮像する撮像手段と、上記撮像手段で撮像された撮像映像をリアルタイムに表示するディスプレイと、使用者の操作により入力するペン入力画像入力手段と、上記ペン入力画像を記憶するペン入力画像記憶部と、画像合成手段と、固定画像記憶部とを備えたもので一致し、
ｉ）ペン入力画像入力手段が、前者は、上記ディスプレイにリアルタイムに表示される撮像映像と合成される手書き画像・スタンプ画像であるペン入力画像を上記ディスプレイに対して入力するものであるのに対して、後者は、上記モニタ１０に表示される撮影が終了した画像上に化粧処理を施すものである点、
ｉｉ）画像合成手段が、前者は、リアルタイムに表示される撮像映像とペン入力画像記憶部に記憶されたペン入力画像を合成してその合成画像をリアルタイムで上記ディスプレイに表示するものであるのに対して、後者は、撮影が終了した画像とお絵かきや化粧の入力データが第２の領域に書き込まれ、記憶されたその合成画像を上記モニタ１０に表示するものである点、
ｉｉｉ）固定画像記憶部が、前者は、上記ペン入力画像の入力後に合成画像を固定して記憶するのの対して、後者は、お絵かきや化粧の入力データを第２の領域に書き込み固定して記憶するものである点、
ｉｖ）前者は、固定画像記憶部に複数の固定画像を記憶するようになっており、複数の固定画像を記憶する際、前回入力されたペン入力画像を記憶しており、２回目以降はペン入力画像を追加入力するようになっているのに対して、後者は、そのような記載が無い点で相違する。
　そこで、これらの相違点ｉ）〜ｉｖ）が、刊行物２〜６及び参考資料１〜５に記載されているか否かを検討すると、いずれの刊行物にも記載ないし示唆が無い。
　してみれば、刊行物１〜６及び参考資料１〜５には、相違点ｉ）〜ｉｖ）の構成の記載ないし示唆が無い。
　本件請求項１に係る発明は、これらの構成を有することによって、明細書記載の作用効果を奏するものであるから、各刊行物に記載された発明であるとも、各刊行物に基づいて当業者が容易に推考できたものであるとも言えない。
〔本件請求項２に係る発明〕
　本件請求項２に係る発明と、上記刊行物１に記載された発明とを、対比すると、後者の「画像プリント作成装置１」、「ＣＣＤカメラ８」、「モニタ１０」、「タッチペン１１」は、夫々前者の「写真自販機」、「撮像手段」、「ディスプレイ」、「ペン入力画像入力手段」に相当するから、両者は、使用者を含む被写体を撮影してその写真を販売する写真自販機であって、被写体を撮像する撮像手段と、上記撮像手段で撮像された撮像映像をリアルタイムに表示するディスプレイと、使用者の操作により入力するペン入力画像入力手段と、上記ペン入力画像を記憶するペン入力画像記憶部と、画像合成手段と、固定画像記憶部とを備えたもので一致し、
ｉ）ペン入力画像入力手段が、前者は、上記ディスプレイにリアルタイムに表示される撮像映像と合成される手書き画像・スタンプ画像であるペン入力画像を上記ディスプレイに対して入力するものであるのに対して、後者は、上記モニタ１０に表示される撮影が終了した画像上に化粧処理を施すものである点、
ｉｉ）画像合成手段が、前者は、リアルタイムに表示される撮像映像とペン入力画像記憶部に記憶されたペン入力画像を合成してその合成画像をリアルタイムで上記ディスプレイに表示するものであるのに対して、後者は、撮影が終了した画像とお絵かきや化粧の入力データが第２の領域に書き込まれ、記憶されたその合成画像を上記モニタ１０に表示するものである点、
ｉｉｉ）固定画像記憶部が、前者は、上記ペン入力画像の入力後に合成画像を固定して記憶するのの対して、後者は、お絵かきや化粧の入力データを第２の領域に書き込み固定して記憶するものである点、
ｉｖ’）前者は、固定画像記憶部に複数の固定画像を記憶するようになっており、複数の固定画像を記憶する際、前回入力されたペン入力画像を消去して新たなペン入力画像を入力するようになっているのに対して、後者は、そのような記載が無い点で相違する。
　そこで、これらの相違点ｉ）〜ｉｖ’）が、刊行物２〜６及び参考資料１〜５に記載されているか否かを検討すると、いずれの刊行物にも記載ないし示唆が無い。
　してみれば、刊行物１〜６及び参考資料１〜５には、相違点ｉ）〜ｉｖ’）の構成が記載ないし示唆が無い。
　本件請求項２に係る発明は、これらの構成を有することによって、明細書記載の作用効果を奏するものであるから、各刊行物に記載された発明であるとも、各刊行物に基づいて当業者が容易に推考できたものであるとも言えない。
〔本件請求項３〜１５に係る発明〕
  本件請求項３〜１５に係る発明は、本件請求項１〜１４に係る発明の構成の一部をさらに限定するものであるから、本件請求項１〜１４に係る発明と同様の判断となる。
ウ.むすび
　以上のとおりであるから、特許異議申立の理由及び証拠によっては、本件請求項１〜１５に係る発明の特許を取り消すことはできない。
　また、他に本件請求項１〜１５に係る発明の特許を取り消すべき理由を発見しない。
　したがって、本件発明についての特許は拒絶の査定をしなければならない特許出願に対してされたものと認めない。
　よって、結論のとおり決定する。
【異議決定日】
平成１４年１２月６日（２００２．１２．６）
【訂正の要旨】
訂正の要旨
特許請求の範囲の減縮ないし明りょうでない記載の釈明を目的として、下記（１）〜（３）のように特許請求の範囲を訂正する。
（１）訂正前の請求項１を「【請求項１】使用者を含む被写体を撮影してその写真を販売する写真自販機であって、被写体を撮像する撮像手段と、上記撮像手段で撮像された撮像映像をリアルタイムに表示するディスプレイと、使用者の操作により上記ディスプレイにリアルタイムに表示される撮像映像と合成される手書き画像・スタンプ画像であるペン入力画像を上記ディスプレイに対して入力するペン入力画像入力手段と、上記ペン入力画像を記憶するペン入力画像記憶部と、リアルタイムに表示される撮像映像とペン入力画像記憶部に記憶されたペン入力画像を合成してその合成画像をリアルタイムで上記ディスプレイに表示する画像合成手段と、上記ペン入力画像の入力後に合成画像を固定して記憶する固定画像記憶部とを備え、固定画像記憶部に複数の固定画像を記憶するようになっており、複数の固定画像を記憶する際、前回入力されたペン入力画像を記憶しており、２回目以降はペン入力画像を追加入力するようになっていることを特徴とする写真自販機。」と訂正する。
（２）訂正前の請求項２を「【請求項２】使用者を含む被写体を撮影してその写真を販売する写真自販機であって、被写体を撮像する撮像手段と、上記撮像手段で撮像された撮像映像をリアルタイムに表示するディスプレイと、使用者の操作により上記ディスプレイにリアルタイムに表示される撮像映像と合成される手書き画像・スタンプ画像であるペン入力画像を上記ディスプレイに対して入力するペン入力画像入力手段と、上記ペン入力画像を記憶するペン入力画像記憶部と、リアルタイムに表示される撮像映像とペン入力画像記憶部に記憶されたペン入力画像を合成してその合成画像をリアルタイムで上記ディスプレイに表示する画像合成手段と、上記ペン入力画像の入力後に合成画像を固定して記憶する固定画像記憶部とを備え、固定画像記憶部に複数の固定画像を記憶するようになっており、複数の固定画像を記憶する際、前回入力されたペン入力画像を消去して新たなペン入力画像を入力するようになっていることを特徴とする写真自販機。」と訂正する。
（３）訂正前の請求項３、８、９、１９、２０を削除し、訂正前の請求項４〜７、１０〜１８を繰り上げて請求項３〜１５とし、夫々引用する請求項を対応するものに訂正する。
（５４）【発明の名称】
写真自販機
（５７）【特許請求の範囲】
　【請求項１】　使用者を含む被写体を撮影してその写真を販売する写真自販機であって、被写体を撮像する撮像手段と、上記撮像手段で撮像された撮像映像をリアルタイムに表示する
ディスプレイ
ディスプレイにリアルタイムに表示される
手書き画像・スタンプ画像である
上記ディスプレイに対して
してその合成画像をリアルタイムで上記ディスプレイに表示
、固定画像記憶部に複数の固定画像を記憶するようになっており、複数の固定画像を記憶する際、前回入力されたペン入力画像を記憶しており、２回目以降はペン入力画像を追加入力するようになっている
　【請求項２】　
使用者を含む被写体を撮影してその写真を販売する写真自販機であって、被写体を撮像する撮像手段と、上記撮像手段で撮像された撮像映像をリアルタイムに表示するディスプレイと、使用者の操作により上記ディスプレイにリアルタイムに表示される撮像映像と合成される手書き画像・スタンプ画像であるペン入力画像を上記ディスプレイに対して入力するペン入力画像入力手段と、上記ペン入力画像を記憶するペン入力画像記憶部と、リアルタイムに表示される撮像映像とペン入力画像記憶部に記憶されたペン入力画像を合成してその合成画像をリアルタイムで上記ディスプレイに表示する画像合成手段と、上記ペン入力画像の入力後に合成画像を固定して記憶する固定画像記憶部とを備え、固定画像記憶部に複数の固定画像を記憶するようになっており、複数の固定画像を記憶する際、前回入力されたペン入力画像を消去して新たなペン入力画像を入力するようになっていることを特徴とする写真自販機。
　【請求項
３
１
２
　【請求項
４
３
　【請求項
５
１
４
　【請求項
６
１
５
　【請求項
７
６
　【請求項
８
７
　【請求項
９
８
　【請求項１
０
９
　【請求項１
１
０
　【請求項１
２
１
　【請求項１
３
２
　【請求項１
４
１
３
　【請求項１
５
４
【発明の詳細な説明】
　【０００１】
　【発明の属する技術分野】
　本発明は、ゲームセンター等に設置され、硬貨等の投入により使用者を撮影し、撮影画像をプリントして販売する写真自販機に関するものである。
　【０００２】
　【従来の技術】
　近年、ゲームセンター等において、写真を撮影してシールプリント等にする写真自販機が数多く設置されている。このような写真自販機としては、一般に、図６に示すようなものが用いられている。このものは、本体５２の内部に、略４５°の角度をもってハーフミラー５３が設けられている。このハーフミラー５３の奥に、使用者５４を撮影するカメラ５５が設けられ、ハーフミラー５３の下方には、上記カメラ５５で撮影された画像を表示するモニタ５６が設けられている。図において５１はコントローラ、５７は写真プリント５８を印刷するプリンタである。
　【０００３】
　上記写真自販機では、ハーフミラー５３を透してカメラ５５で撮影された画像がモニタ５６に表示され、このモニタ５６に表示された画像がハーフミラー５３に反射して使用者５４によって確認できるようになっている。そして、使用者５４は、モニタ５６に映った自分の姿を確認しながら所望のポーズをとり、好みのところでコントローラ５１を操作して静止画を撮影することが行われる。そして、この静止画は、適当なフレームや前景の画像と合成されて写真プリント５８として印刷される。
　【０００４】
　【発明が解決しようとする課題】
　しかしながら、上記写真自販機では、カメラ５５で撮影した写真をシール等の写真プリント５８として、その場で出力できるにすぎない。最近では、写真自販機利用人口の増加とともに、そのニーズも多様化している。そこで、これらのニーズに応えるため、使用者５４の画像に合成されるフレームや前景として各種の趣向を凝らしたものも数多く提供されているが、単にその場で写真プリント５８として出力するだけの画一的なものでは満足されなくなってきている。
　【０００５】
　そこで、最近では、カメラで撮影した画像をメモリに固定して液晶タブレット等に表示し、表示された固定画像にタッチペン等で手書き画像を入力して上記固定画像に合成する写真自販機も考案され実用化されている。
　【０００６】
　ところが、上記写真自販機では、一旦撮影画像を固定してから手書き画像を入力するため、手書き画像の入力を開始すると、固定画像の変更ができない。したがって、手書き画像を書き進めるうちに撮影された自分の表情やポーズが手書き画像と合わなくなったような場合には、気に入らない表情やポーズのまま写真プリントにしなければならなかった。
　【０００７】
　本発明は、このような事情に鑑みなされたもので、手書き画像等の第２画像を入力したのち撮像映像の固定を行なうことにより、第２画像に合った表情やポーズでの撮影が行なえる写真自販機の提供を目的とする。
　【０００８】
　【課題を解決するための手段】
　上記の目的を達成するため、本発明の写真自販機は、使用者を含む被写体を撮影してその写真を販売する写真自販機であって、被写体を撮像する撮像手段と、上記撮像手段で撮像された撮像映像をリアルタイムに表示する画像表示手段と、使用者の操作により上記撮像映像と合成される第２画像を入力する第２画像入力手段と、上記撮像映像と第２画像を合成する画像合成手段と、上記第２画像の入力後に合成画像を固定して記憶する固定画像記憶部とを備えたことを要旨とする。
　【０００９】
　すなわち、本発明の写真自販機は、被写体を撮像する撮像手段と、上記撮像手段で撮像された撮像映像をリアルタイムに表示する画像表示手段と、使用者の操作により上記撮像映像と合成される第２画像を入力する第２画像入力手段と、上記撮像映像と第２画像を合成する画像合成手段と、上記第２画像の入力後に合成画像を固定して記憶する固定画像記憶部とを備えている。このように、第２画像の入力後に撮像映像を固定するため、第２画像に合った表情やポーズでの撮影が行なえる。このため、従来のように、手書き画像等の第２画像が撮影された自分の表情やポーズと合わなくなるようなことがほとんど生じない。
　【００１０】
　本発明の写真自販機において、上記第２画像を記憶する第２画像記憶部を備え
、上記画像合成手段が、リアルタイムに表示される撮像映像と第２画像記憶部に記憶された第２画像を合成するものである場合には、第２画像の入力後に合成画像を固定する本発明の構成を容易に実現できる。
　【００１１】
　本発明の写真自販機において、固定画像記憶部に複数の固定画像を記憶するようになっている場合には、複数の写真を撮影して好みの表情やポーズの写真を得やすい。
　【００１２】
　本発明の写真自販機において、第２画像記憶部に複数の第２画像を記憶するようになっている場合には、パターンを変化させた複数種類の第２画像を記憶しておくことにより、好みの第２画像が合成された合成画像を得やすい。
　【００１３】
　本発明の写真自販機において、合成画像の固定を所望のタイミングで行なう画像固定スイッチを備えている場合には、撮影時の表情やポーズを自分で決めて所望のタイミングで撮影できるため、好みの表情やポーズの写真を得やすい。
　【００１４】
　本発明の写真自販機において、合成画像を所定間隔で自動的に複数回固定しうるようになっている場合には、自分でシャッタタイミングをとらなくても自動的な連続撮影ができるため、カメラマンに撮影されているような気分を味わうことができる。
　【００１５】
　本発明の写真自販機において、複数の固定画像のなかから１つまたは複数の固定画像を選択する画像選択手段を備えている場合には、気に入った表情やポーズの固定画像を選んでその写真を得ることができる。
　【００１６】
　本発明の写真自販機において、複数の固定画像を記憶する際、前回入力された第２画像を記憶しており、２回目以降は第２画像を追加入力するようになっている場合には、第２画像を順次追加することにより、画像を作り上げる面白さを演出することができる。
　【００１７】
　本発明の写真自販機において、複数の固定画像を記憶する際、前回入力された第２画像を消去して新たな第２画像を入力するようになっている場合には、そのつど新しく第２画像を入力することにより、画像のパターンを変化させる面白さを演出することができる。
　【００１８】
　本発明の写真自販機において、上記撮像手段がズーミング機能を備えたものである場合には、複数人で撮影する場合や全身を撮影する場合等に被写体が動かなくても画角を変えて撮影できる。また、第２画像が大きくなりすぎて被写体が隠れてしまうような場合にも、画角を変えて対応できるため、合成画像の固定に先立って第２画像の入力を行なう際に使い勝手がよい。
　【００１９】
　本発明の写真自販機において、上記撮像手段のズーミング操作を装置本体から離れた位置で行ないうるズーミング操作手段を備えている場合には、例えば、複数人で撮影を行なうようなときに、装置本体から離れた位置でズーミング操作を行なえて便利で使い勝手がよい。
　【００２０】
　本発明の写真自販機において、撮像映像の画質を調節する画質調節手段を備えている場合や、上記画質調節手段が、撮像映像の明るさ，色合い，モノトーンとカラー，シャープとソフトのうち少なくともいずれかを調節するものである場合には、使用者が好みの画質の写真を売ることができるようになる。
　【００２１】
　本発明の写真自販機において、固定画像記憶部に記憶された固定画像を印刷媒体に印刷する印刷手段を備えている場合には、固定画像がプリントされた写真プリントが得られる。
　【００２２】
　本発明の写真自販機において、上記印刷手段が、昇華型プリンタ，インクジェット式プリンタ，レーザプリンタ，熱転写型プリンタ，溶融型プリンタ，サーマルプリンタ，印画紙プリンタ，インスタントフィルムプリンタのうち少なくともいずれかである場合には、普及率が高く比較的安価な印刷手段により、高い画質のプリントを出力することができる。
　【００２３】
　本発明の写真自販機において、固定画像記憶部に記憶された固定画像を通信回線を介して外部に出力する画像送信手段を備えている場合には、固定画像を外部端末等で受信して遠隔地等で楽しむことができるようになる。
　【００２４】
　本発明の写真自販機において、第２画像入力手段で入力しうる第２画像を、外部から受信して格納する第２画像格納部を備えている場合には、さまざまな第２画像を追加したり変更したりできるため、例えば、季節や設置場所の土地柄等にあわせた演出の第２画像を容易に入力することができる。
　【００２５】
　本発明の写真自販機において、第２画像を通信回線を介して受信するようになっている場合には、遠隔地から第２画像を供給でき、第２画像の追加や変更にかかるコストが低下する。
　【００２６】
　本発明の写真自販機において、画像表示手段として、上記撮像映像，第２画像，合成画像のうち少なくともいずれかを表示するテレビモニタを備えている場合には、印刷等に先だって画質のよいテレビモニタでの画像を確認でき、写真購入者が納得のいく写真を得ることができる。
　【００２７】
　本発明の写真自販機において、画像表示手段が、使用者のほぼ正面に使用者の方を向けて配置されている場合には、使用者から画像表示手段が見やすく、写真購入者が納得のいく写真を得ることができる。
　【００２８】
　【発明の実施の形態】
　つぎに、本発明の実施の形態を詳しく説明する。
　【００２９】
　図１は、本発明の写真自販機の一実施の形態を示す断面図であり、図２は、上記写真自販機の装置本体を示す斜視図である。この写真自販機は、筐体１の内部および表面に各種の装置が設けられている。ここで、説明の便宜上、筐体１において、使用者（被写体）２と対面する側（図１および図２の左側）を筐体１の前側とし、反対側（図１および図２の右側）を筐体１の後側とする。
　【００３０】
　上記筐体１の内部空間には、被写体２を撮像する撮像手段であるカメラ６と、上記カメラ６から画像信号を受信して画像の合成等を行うコンピュータ装置７と、このコンピュータ装置７から送信された合成画像等の画像信号を受信して画像を表示する第１ディスプレイ８および第２ディスプレイ１４とが設けられている。
　【００３１】
　上記第１ディスプレイ８は、被写体２に向かって斜め上向きに配設され、第１ディスプレイ８に表示された画像が使用者２によって目視されるようになっている。この第１ディスプレイ８は、例えば液晶タブレットやタッチパネル等が用いられ、タッチペン１２の先端を表面に接触させ、文字や図形等を描くことにより、手書き画像を入力できるようになっている。また、あらかじめ準備された星マークやハートマーク等のスタンプ画像を選択してタッチペン１２の先端をディスプレイ表面に接触させることにより、スタンプ画像を入力できるようになっている。この例では、手書き画像とスタンプ画像が第２画像として入力されるようになっている。
　【００３２】
　上記手書き画像やスタンプ画像は、カメラ６で撮像された撮像映像と合成されてその合成画像が第１ディスプレイ８に表示され、印刷媒体１５に印刷されるようになっている。さらに、画面に表示される指示に従って画面に表示されるボタン等をタッチペン１２の先端でタップする（軽く叩く）ことにより、各種の操作を行なえるようになっている。
　【００３３】
　一方、上記第２ディスプレイ１４は、使用者２のほぼ正面の目線の高さで使用者２の方に向けて配置され、第２ディスプレイ１４に表示された画像が使用者２によって目視されるようになっている。この第２ディスプレイ１４は、上記液晶表示装置よりも画像が見やすいテレビモニタが用いられ、例えば全身撮影や複数人での撮影の際に装置本体から離れた位置に立って撮影するような場合にも、表示された画像が見やすいように配慮されている。
　【００３４】
　また、上記筐体１の前面には、使用者２によって操作される複数の操作ダイヤル１１が設けられている。この操作ダイヤル１１は、カメラ６で撮像されて第１および第２ディスプレイ８，１４にリアルタイムに表示される撮像映像の、明るさや色合いの調節、シャープ／ソフトの切り替えやモノクロ／カラーの切り替え等の画質調節を行ないうるようになっている。
　【００３５】
　さらに、上記筐体１の前面には、使用者２によって操作されるズームダイヤル１０を備えている。このズームダイヤル１０により、カメラ６のズームレンズを操作してカメラ６が撮像する画角を調節しうるようになっている。また、上記筐体１の前側には、上記ズームダイヤル１０と同様にカメラ６のズーミング操作を筐体１から離れた位置で行なうフットペダル１０Ａを備えている。このフットペダル１０Ａを備えたことにより、全身撮影や複数人での撮影等の際に、筐体１から離れた位置に立ったままズーミング操作が行なえる。
　【００３６】
　また、上記筐体１の前面には、使用者２によって操作されるシャッタスイッチ１３を備えている。このシャッタスイッチ１３を操作することにより、カメラ６で撮像された撮像映像とペン入力画像とが合成され、第１および第２ディスプレイ８，１４にリアルタイムで表示されている合成映像が固定され、この固定画像が印刷媒体１５にプリントされるようになっている。
　【００３７】
　また、上記筐体１の前側には、上記シャッタスイッチ１３と同様に合成画像の固定操作を筐体１から離れた位置で行なうフットスイッチ１３Ａを備えている。このフットスイッチ１３Ａを備えたことにより、全身撮影や複数人での撮影等の際に、筐体１から離れた位置に立ったままシャッタ操作が行なえる。
　【００３８】
　この写真自販機では、シャッタスイッチ１３やフットスイッチ１３Ａを操作することによるマニュアル撮影以外に、例えば１分間隔等の所定間隔おきに、自動的に複数回のシャッタ操作を行う自動撮影が行なえるようになっている。
　【００３９】
　この例において、使用者２が第１および第２ディスプレイ８，１４から見る合成画像は、カメラ６による被写体２の撮像映像と、タッチペン１２によるペン入力画像とが合成されたものである。そして、被写体２は、第１および第２ディスプレイ８，１４にリアルタイム表示される撮像映像を見ながらタッチペン１２等を操作してペン入力画像を入力し、ペン入力画像の雰囲気等に合わせて撮像映像の明るさや色合い等の画質を好みの状態に調節する。そして、ペン入力画像や画質の雰囲気にあった表情やポーズをとってシャッタスイッチ１３を操作することにより、合成画像を固定して印刷等を行なうようになっている。
　【００４０】
　また、上記筐体１の内部空間には、コンピュータ装置７から送信された固定画像の信号を受信し、この固定画像を印刷媒体１５に印刷してプリントを出力するプリンタ９が設けられている。そして、上記プリンタ９で印刷された印刷媒体１５は、筐体１前面に形成された送出口１９から送出されるようになっている。
　【００４１】
　上記プリンタ９としては、写真画質の印刷に適するものであれば、各種のものが用いられる。例えば、昇華型プリンタ，インクジェット式プリンタ，カラーレーザプリンタ，熱転写型プリンタ，溶融型プリンタ，サーマルプリンタ，印画紙プリンタ，インスタントフィルムプリンタ等があげられる。
　【００４２】
　また、筐体１の前面には、コイン投入口１８が設けられ、筐体１内部のコイン投入口１８に隣接した位置に、投入したコインを検出してコンピュータ装置７に検出信号を送信するコイン検出部１７（図３参照）が設けられている。また、筐体１前面の適所には、コンピュータ装置７から音声信号を受信して音声出力するスピーカ１６ならびに被写体２を照射するライト２０が設けられている（図２参照）。
　【００４３】
　そして、上記被写体２の背後には、外部からの光を遮断するとともに背景として映るカーテン３が配設されている。このカーテン３は、筐体１の前面の上部および下部から突出された支持フレーム４によって支持される。上記カーテン３の内面には、画像の合成手法に応じた色彩を施すこともでき、例えば、クロマキー合成であれば、カーテン３の内面全体に緑，青等のクロマキー合成に適当な色の着色が施される。
　【００４４】
　つぎに、上記コンピュータ装置７のシステム構成について詳しく説明する。
　【００４５】
　図３に示すように、上記コンピュータ装置７は、画像の合成を行う画像合成手段３０と、カメラ６による撮像や画像合成等の制御を行う制御手段３１とを備えている。上記制御手段３１は、コイン検出部１７からの検出信号を受信することにより、撮像や画像合成等の各種制御を開始するようになっている。
　【００４６】
　また、上記コンピュータ装置７には、所定のスタンプ画像を格納するスタンプ画像格納部３３が設けられている。また、タッチペン１２で入力された手書き画像やスタンプ画像等のペン入力画像を記憶するペン入力画像記憶部３２を備えている。
　【００４７】
　一方、上記第１ディスプレイ８には、タッチペン１２によって手書き画像等が入力される入力部３５と、合成画像や操作指示メッセージ等を表示する表示部３６とが設けられている。
　【００４８】
　また、上記コンピュータ装置７には、操作ダイヤル１１から操作信号を受け、カメラ６で撮像された撮像映像の明るさや色合い等の画質を調節する画質調節手段３７を備えている。上記画質調節手段３７で画質調節が行なわれた撮像映像は、画像合成手段３０でペン入力画像と合成され、その合成画像が第１ディスプレイ８の表示部３６および第２ディスプレイ１４で表示される。
　【００４９】
　また、上記コンピュータ装置７には、シャッタスイッチ１３からのシャッタ操作信号または制御手段３１からの自動シャッタ信号を受信して画像合成手段３０で合成された上記撮像映像とペン入力画像との合成画像を固定し、その固定画像を記憶する固定画像記憶部３８を備えている。この固定画像記憶部３８には、必要に応じ、マニュアルまたはオートによる複数回のシャッタ操作により、複数の固定画像を記憶するようになっている。
　【００５０】
　上記固定画像記憶部３８に記憶された複数の固定画像は、撮影操作が終了したのち、タッチペン１２の操作により、所望の１枚または複数枚の固定画像を選択して印刷等を行なえるようになっている。このとき、全ての固定画像を選択する（あるいは選択動作を行なわない）ことにより、全ての固定画像を印刷することも可能である。
　【００５１】
　３４は印刷制御部であり、固定画像記憶部３８に記憶された固定画像をプリンタ９に送信してプリント出力を行なう。また、３９は送受信手段であり、固定画像記憶部３８に格納された固定画像をインターネット（ＮＥＴ）を介して外部の端末装置（図示せず）等に送信しうるようになっている。このようにすることにより、撮影された写真を遠隔地の端末装置で出力等することができる。
　【００５２】
　また、上記送受信手段３９は、インターネットを介して遠隔地からスタンプ画像を受信してスタンプ画像格納部３３に格納しうるようになっている。このようにすることにより、さまざまなスタンプ画像を追加したり変更したりでき、例えば、季節や設置場所の土地柄等にあわせた演出のスタンプ画像を容易に追加等できる。しかも、遠隔地からスタンプ画像を供給でき、低コストでスタンプ画像の追加や変更を行なうことができる。また、遠隔地から広告情報やアンケートデータを供給し、広告情報の供給やアンケートに対する回答が入力されることにより、料金の割引や追加プリントのサービス等を行なうことも可能となる。
　【００５３】
　つぎに、上記写真自販機の動作について、図４に示すフローチャートをもとに説明する。なお、図において「Ｓ」は、ステップを意味する。
　【００５４】
　まず、使用者２がコインを投入すると、第１および第２ディスプレイ８，１４に撮影モードの選択を促すメッセージが表示され、使用者２はそのメッセージに従ってタッチペン１２を操作し、マニュアル撮影モードで撮影するかオート撮影モードで撮影するかの選択を行なう（ステップ１０）。
　【００５５】
　そして、ステップ１０において、マニュアル撮影モードが選択された場合には、ステップ２０に進み、オート撮影モードが選択された場合には、ステップ２５に進む。
　【００５６】
　まず、マニュアル撮影モードでの動作を説明する。
　【００５７】
　ステップ１０でマニュアル撮影モードが選択されると、カメラ６による撮像が開始される（ステップ２０）。被写体２の撮像映像は、画像合成手段３０を介してリアルタイムで第１および第２ディスプレイ８，１４に表示される。
　【００５８】
　ついで、第１ディスプレイ８の表面に、タッチペン１２の先端を接触させて手書き画像やスタンプ画像等のペン入力画像の入力が行なわれる（ステップ３０）。このとき、手書き画像を入力する場合には、第１ディスプレイ８の表面にタッチペン１２の先端を接触させた状態で文字や画像を描くことにより入力することが行なわれる。
　【００５９】
　また、スタンプ画像を入力する場合には、図５に示すように、例えば、星マークのアイコン２６やハートマークのアイコン２７をタップ等することにより、星マークやハートマーク等のスタンプ画像を画面の任意の位置に配置することが行なわれる。なお、図５において２５Ａ〜Ｃは、ペン入力画像の色彩を変更する際にタップする色鉛筆ボタンである。
　【００６０】
　上記ペン入力画像は、入力されるとペン入力画像記憶部３２に記憶され、画像合成手段３０によりカメラ６での撮像映像と合成される（ステップ４０）。撮像映像とペン入力画像との合成画像は、リアルタイムで第１および第２ディスプレイ８，１４に表示される。
　【００６１】
　このとき、必要に応じてズームダイヤル１０やフットペダル１０Ａを操作することにより、ズーミング操作を行い、カメラ６による撮像映像の画角を調節することが行なわれる。このようにすることにより、複数人で撮影する場合等に被写体２が動かなくても画角を変えて撮影できる。また、ペン入力画像が大きくなりすぎて被写体２が隠れてしまいそうな場合にも、画角を変えることにより対応できる。
　【００６２】
　上記ペン入力画像の入力と前後して、操作ダイヤル１１を操作することにより、カメラ６による撮像映像の明るさや色合いの調節、シャープ／ソフトの切り替えやモノクロ／カラーの切り替え等の画質調節が行なわれる（ステップ５０）。画質調節手段３７による画質調節が行なわれた撮像映像とペン入力画像との合成画像は、リアルタイムで第１および第２ディスプレイ８，１４に表示される。
　【００６３】
　そして、シャッタスイッチ１３またはフットスイッチ１３Ａを操作することにより、画質調節が行なわれた撮像映像とペン入力画像との合成画像が、固定画像記憶部３８に固定され記憶される（ステップ６０）。このとき、マニュアル撮影モードでは、撮影時の表情やポーズを自分で決めて所望のタイミングで撮影できるため、好みの表情やポーズの写真を得やすい。
　【００６４】
　ここで、制限時間が経過しているかあるいは制限ショット数に達しているかが判断される（ステップ７０）。ステップ７０において、制限時間あるいはショット数に達していなければ、ステップ８０に進み、追加撮影するか否かの決定を促すメッセージが第１および第２ディスプレイ８，１４に表示される（ステップ８０）。
　【００６５】
　ステップ８０において、追加撮影をする場合は、タッチペン１２により追加撮影開始の操作を行い、ステップ２０に戻って再びカメラ６による撮像が開始される。つぎにステップ２０でペン入力画像の入力が行なわれるが、２回目以降の撮影でのペン入力においては、前回撮影でのペン入力画像が記憶され表示されており、その上にペン入力画像をさらに追加入力することが行なわれる。
　【００６６】
　そして、制限時間またはショット数に達するまでステップ２０〜８０の操作が繰り返される。ステップ７０において制限時間またはショット数に達したか、あるいはステップ８０において追加撮影を行なわないでプリントを開始する操作を行なった場合には、ステップ９０に進む。
　【００６７】
　ステップ９０では、複数撮影された固定画像の一覧が第１および第２ディスプレイ８，１４に表示され、気に入った表情やポーズで撮れている固定画像を選択することが行なわれる。このとき選択する画像は、１枚でもよいし複数枚でもよい。特に選択を行なわない（全ての画像を選択する）ことも可能である。
　【００６８】
　画像の選択が終了すると、シートの選択が行なわれる（ステップ１００）。ここでは、プリントする印刷媒体１５として、シール台紙やはがき等のなかから所望のシートを選択したり、シールプリントにおけるシールの枚数や大きさを選択することが行なわれる。そして、シートが選択されると、プリンタ９で所定の印刷媒体１５に選択された固定画像の印刷が行なわれる（ステップ１１０）。
　【００６９】
　つぎに、オート撮影モードでの動作を説明する。
　【００７０】
　ステップ１０でオート撮影モードが選択されると、カメラ６による撮像が開始される（ステップ２５）。被写体２の撮像映像は、画像合成手段３０を介してリアルタイムで第１および第２ディスプレイ８，１４に表示される。
　【００７１】
　ついで、第１ディスプレイ８の表面に、タッチペン１２の先端を接触させて手書き画像やスタンプ画像等のペン入力画像の入力が行なわれる（ステップ３５）。このとき、手書き画像を入力する場合には、第１ディスプレイ８の表面にタッチペン１２の先端を接触させた状態で文字や画像を描くことにより入力することが行なわれる。
　【００７２】
　また、スタンプ画像を入力する場合には、上述したように、例えば、星マークのアイコン２６やハートマークのアイコン２７をタップ等することにより、星マークやハートマーク等のスタンプ画像を画面の任意の位置に配置することが行なわれる。
　【００７３】
　上記ペン入力画像は、入力されるとペン入力画像記憶部３２に記憶され、画像合成手段３０によりカメラ６での撮像映像と合成される（ステップ４５）。撮像映像とペン入力画像との合成画像は、リアルタイムで第１および第２ディスプレイ８，１４に表示される。
　【００７４】
　このとき、必要に応じてズームダイヤル１０やフットペダル１０Ａを操作することにより、ズーミング操作を行い、カメラ６による撮像映像の画角を調節することが行なわれる。このようにすることにより、複数人で撮影する場合等に被写体２が動かなくても画角を変えて撮影できる。また、ペン入力画像が大きくなりすぎて被写体２が隠れてしまいそうな場合にも、画角を変えることにより対応できる。
　【００７５】
　上記ペン入力画像の入力と前後して、操作ダイヤル１１を操作することにより、カメラ６による撮像映像の明るさや色合いの調節、シャープ／ソフトの切り替えやモノクロ／カラーの切り替え等の画質調節が行なわれる（ステップ５５）。画質調節手段３７による画質調節が行なわれた撮像映像とペン入力画像との合成画像は、リアルタイムで第１および第２ディスプレイ８，１４に表示される。
　【００７６】
　そして、所定時間が経過すると、被写体２にシャッタタイミングを知らせるカウントダウンメッセージが表示され、所定カウントの後に自動的にシャッタ動作が行なわれ、画質調節が行なわれた撮像映像とペン入力画像との合成画像が、固定画像記憶部３８に固定され記憶される（ステップ６５）。ここで、制限時間が経過しているかあるいは制限ショット数に達しているかが判断される（ステップ７５）。
　【００７７】
　ステップ７５において、制限時間あるいはショット数に達していなければ、自動的にステップ２５に戻り、再びカメラ６による撮像が開始される。つぎにステップ２５でペン入力画像の入力が行なわれるが、２回目以降の撮影でのペン入力においては、前回撮影でのペン入力画像が記憶され表示されており、その上にペン入力画像をさらに追加入力することが行なわれる。
　【００７８】
　そして、制限時間またはショット数に達するまでステップ２５〜７５の操作が自動的に繰り返される。ステップ７５において制限時間またはショット数に達すれば、追加撮影を行なわないでステップ９０に進む。このように、オート撮影モードでは、自分でシャッタタイミングをとらなくても自動的な連続撮影ができるため、カメラマンに撮影されているような気分を味わうことができる。
　【００７９】
　ステップ９０では、複数撮影された固定画像の一覧が第１および第２ディスプレイ８，１４に表示され、気に入った表情やポーズで撮れている固定画像を選択することが行なわれる。このとき選択する画像は、１枚でもよいし複数枚でもよい。特に選択を行なわない（全ての画像を選択する）ことも可能である。
　【００８０】
　画像の選択が終了すると、シートの選択が行なわれる（ステップ１００）。ここでは、プリントする印刷媒体１５として、シール台紙やはがき等のなかから所望のシートを選択したり、シールプリントにおけるシールの枚数や大きさを選択することが行なわれる。そして、シートが選択されると、プリンタ９で所定の印刷媒体１５に選択された固定画像の印刷が行なわれる（ステップ１１０）。
　【００８１】
　このように、上記写真自販機によれば、ペン入力画像の入力後に撮像映像を固定するため、ペン入力画像に合った表情やポーズでの撮影が行なえる。このため、従来のように、手書き画像等のペン入力画像が撮影された自分の表情やポーズと合わなくなるようなことが起こらない。
　【００８２】
　なお、上記実施の形態では、前回までの撮影で入力されたペン入力画像がペン入力画像記憶部３２に記憶されており、２回目以降の撮影では、ペン入力画像を追加入力するようにしたが、これに限定するものではなく、１回の撮影毎にペン入力画像を消去して新たにペン入力画像を入力するようにしてもよい。
　【００８３】
　なお、上記実施の形態において、外部端末としては、例えば、携帯電話，コンピュータ装置，ファクシミリ装置，携帯情報端末等を用いることができる。これらの外部端末は普及率が高く、容易かつ安価にデータの送受信を行うことができる。また、上記外部端末として携帯電話を用いる場合、８００ＭＨｚアナログ方式，８００ＭＨｚデジタル方式，１．５ＧＨｚデジタル方式の各種携帯電話や、簡易型携帯電話（ＰＨＳ）等を用いることができるが、携帯して移動可能な電話であれば、各種のものを用いることができる。
　【００８４】
　また、上記実施の形態では、インターネットを介してデータを送受信する例を示したが、インターネット以外の通信回線として、例えば、アナログ電話回線，高速デジタル回線（ＩＳＤＮ回線），無線，光ファイバ，携帯電話回線（例えば、ＤｏＰａ等），ＺＡＱ，ＰＨＳ回線（例えば、ＰＩＡＦＳ，αＤＡＴＡ３２等），総合知的通信網（ＵＩＣＮ），新高度情報通信（ＶＩ＆Ｐ），衛生通信回線，有線放送，各種通信ケーブルによるデータ通信やデータ転送等があげられるが、これら以外の各種のものも用いることができる。また、接続は、常時接続であると、そのつどダイヤルアップして接続するものであるとを問わない。
　【００８５】
　また、上記各実施の形態では、カメラ６での撮像映像とペン入力画像とのふたつの画像を合成するようにしたが、これに限定するものではなく、これらの画像に、さらに前景や背景等になるフレーム画像を合成するようにしてもよい。
　【００８６】
　また、上記実施の形態において、カメラ６としては、デジタルカメラを用いることもできるし、ビデオカメラを用いることもでき、撮影画像を電気信号に変換しうるものであれば特に限定するものではなく、各種のものを用いることができる。さらに、上記実施の形態では、１台のカメラ６を備えた例を示したが、これに限定するものではなく、複数台のカメラ６を備えるようにしても差し支えない。
　【００８７】
　また、上記実施の形態では、コインの投入により撮影ないし印刷処理を開始するようにしたが、これに限定するものではなく、貨幣，紙幣，メダル，プリペイドカード，クレジットカード，キャッシュカード等、金銭と等価に取引される価値を有するものであれば各種のものを含む趣旨である。
　【００８８】
　また、上記実施の形態では、スタンプ画像は、スタンプ画像格納部３３に格納されたものを用いるようにしたが、これに限定するものではなく、フロッピディスク、ＣＤ−ＲＯＭ，ＣＤ−Ｒ、光磁気ディスク等の各種の記憶媒体に記憶された画像データを読取って使用するようにすることもできる。
　【００８９】
　【発明の効果】
　以上のように、本発明の写真自販機によれば、第２画像の入力後に撮像映像を固定するため、第２画像に合った表情やポーズでの撮影が行なえる。このため、従来のように、手書き画像等の第２画像が撮影された自分の表情やポーズと合わなくなるようなことがほとんど生じない。
【図面の簡単な説明】
　【図１】
　本発明の写真自販機の一実施の形態を示す断面図である。
　【図２】
　上記写真自販機の装置本体を示す斜視図である。
　【図３】
　コンピュータ装置のシステム構成図である。
　【図４】
　本発明のプリント販売方法を説明するフローチャート図である。
　【図５】
　ペン入力画像の入力画面の一例を示す図である。
　【図６】
　従来例を示す断面図である。
　【符号の説明】
　６　カメラ
　８　第１ディスプレイ
　１２　タッチペン
　３０　画像合成手段
　３８　固定画像記憶部